(57)【要約】  【課題】音声通信を行う端末装置において相手側のコーデック種別に対応していない場合でも、音声通信を行うことのできる技術を提供すること  【解決手段】  ネットワーク１５０に接続された端末１３０Ｄ〜１３０Ｆと、端末１３０Ａ〜１３０Ｂと、の間の音声データの中継を行うＰＢＸ１１０において、端末１３０Ｄ〜１３０Ｆが対応するコーデック種別に応じて、端末１３０Ｄ〜１３０Ｆ及び端末１３０Ａ〜１３０Ｂ間で送受信する音声データのコーデック種別をＩＰ通信装置１２０において、パケット毎に変換する。【選択図】図１
2009141712.tif 000002
【特許請求の範囲】
【請求項１】
ネットワークに接続された第一の端末に、第二の端末を接続する中継装置であって、
前記第一の端末のコーデック種別に応じて、前記第一の端末と前記第二の端末との間で送受信する音声データのコーデック種別を変換すること、
を特徴とする中継装置。
【請求項２】
請求項１に記載の中継装置であって、
前記中継装置は、音声データのコーデック種別を変換する変換部を備えており、
前記変換部は、前記第一の端末及び前記第二の端末の間で送受信するパケットの通信方向と、前記第一の端末のコーデック種別と、により、音声データを変換する変換テーブルを替えて、当該パケットに含まれる音声データのコーデック種別を変換すること、
を特徴とする中継装置。
【請求項３】
請求項１又は２に記載の中継装置であって、
前記第一の端末は、ＳＩＰに基づいて呼制御を行うものであり、
前記中継装置は、前記第一の端末から得られたＳＩＰメッセージに含まれるコーデック種別に応じて、前記第一の端末と前記第二の端末との間で送受信する音声データのコーデック種別を変換すること、
を特徴とする中継装置。
【請求項４】
ネットワークに接続された第一の端末に、第二の端末を接続する中継装置であって、
前記第一の端末のコーデック種別及び前記第二の端末のコーデック種別に応じて、前記第一の端末と前記第二の端末との間で送受信する音声データのコーデック種別を変換すること、
を特徴とする中継装置。
【請求項５】
請求項４に記載の中継装置であって、
前記中継装置は、音声データのコーデック種別を変換する変換部を備えており、
前記変換部は、前記第一の端末及び前記第二の端末の間で送受信するパケットの通信方向と、前記第一の端末のコーデック種別と、前記第二の端末のコーデック種別と、により、音声データを変換する変換テーブルを替えて、当該パケットに含まれる音声データのコーデック種別を変換すること、
を特徴とする中継装置。
【請求項６】
請求項４又は５に記載の中継装置であって、
前記第一の端末は、ＳＩＰに基づいて呼制御を行うものであり、
前記中継装置は、
第二の端末毎に、当該第二の端末が対応するコーデック種別を特定するコーデック種別情報を記憶しており、
前記第一の端末から得られたＳＩＰメッセージに含まれるコーデック種別により前記第一の端末のコーデック種別を特定し、
前記第一の端末から得られたＳＩＰメッセージの宛先より第二の端末を特定し、特定した第二の端末が対応するコーデック種別を、前記コーデック種別より特定すること、
を特徴とする中継装置。
【請求項７】
ネットワークに接続された第一の端末に、第二の端末を接続する中継装置が行う音声データの中継方法であって、
前記第一の端末のコーデック種別に応じて、前記第一の端末と前記第二の端末との間で送受信する音声データのコーデック種別を変換すること、
を特徴とする中継方法。
【請求項８】
ネットワークに接続された第一の端末に、第二の端末を接続する中継装置が行う音声データの中継方法であって、
前記第一の端末のコーデック種別及び前記第二の端末のコーデック種別に応じて、前記第一の端末と前記第二の端末との間で送受信する音声データのコーデック種別を変換すること、
を特徴とする中継方法。
【発明の詳細な説明】
【技術分野】
【０００１】
本発明は、音声データを中継する技術に関する。
【背景技術】
【０００２】
音声通信におけるコーデック種別には、μ−ＬＡＷやＡ−ＬＡＷといったように様々な種類がある。音声通信においてコーデック種別が異なる場合には、互いの通信は不可能となる。
【０００３】
これに対して、特許文献１には、発信側端末装置と、受信側端末装置と、の間で、相手先のコーデック種別に応じたコーデック種別を選択可能な技術が記載されている。
【０００４】
【特許文献１】特開平７−１２３１７２号公報
【発明の開示】
【発明が解決しようとする課題】
【０００５】
特許文献１に記載の技術は、発信者側端末装置又は受信者側端末装置の少なくとも何れか一方において、複数のコーデック種別から相手先のコーデック種別に対応したものを選択することができるようにしなければならず、発信者側端末装置及び受信者側端末装置のいずれも複数のコーデック種別に対応していない場合には、音声通信を行うことができない場合がある。
【０００６】
そこで、本発明は、音声通信を行う端末装置において相手側のコーデック種別に対応していない場合でも、音声通信を行うことのできる技術を提供することを目的とする。
【課題を解決するための手段】
【０００７】
以上の課題を解決するため、本発明は、音声データを中継する中継装置において、音声データのコーデック種別を変換する。
【０００８】
例えば、本発明は、ネットワークに接続された第一の端末に、第二の端末を接続する中継装置であって、前記第一の端末のコーデック種別に応じて、前記第一の端末と前記第二の端末との間で送受信する音声データのコーデック種別を変換すること、を特徴とする。
【発明の効果】
【０００９】
以上のように、本発明によれば、音声通信を行う端末装置において相手側のコーデック種別に対応していない場合でも、音声通信を行うことができる。
【発明を実施するための最良の形態】
【００１０】
図１は、本発明の第一の実施形態である通信システム１００の概略図である。
【００１１】
図示するように、通信システム１００は、ＰＢＸ（Private automatic Branch eXchange）１１０と、ＰＢＸ１１０を介してネットワーク１５０に接続する端末Ａ１３０Ａ、端末Ｂ１３０Ｂ及び端末Ｃ１３０Ｃと、ネットワーク１５０に接続された端末Ｄ１３０Ｄ、端末Ｅ１３０Ｅ及び端末Ｆ１３０Ｆと、を備える。
【００１２】
端末Ａ１３０Ａ、端末Ｂ１３０Ｂ及び端末Ｃ１３０Ｃは、ＰＢＸ１１０を介して音声通信を行ういわゆる電話端末であって、汎用のものを用いればよいため、詳細な説明を省略するが、本実施形態においては、コーデック種別としてμ−ＬＡＷに対応しているものとする。
【００１３】
また、端末Ｄ１３０Ｄ、端末Ｅ１３０Ｅ及び端末Ｆ１３０Ｆは、ネットワーク１５０を介して音声通信を行ういわゆるＩＰ電話端末であって、本実施形態においては、ＳＩＰ（Session Initiation Protocol）により呼を確立し、端末Ｄ１３０Ｄ及び端末Ｅ１３０Ｅはコーデック種別としてＡ−ＬＡＷに対応し、端末Ｆ１３０Ｆはコーデック種別としてμ−ＬＡＷに対応しているものとする。
【００１４】
ＰＢＸ１１０は、内線制御装置１１１と、スイッチ１１２と、中央処理部１１３と、メモリ部１１４と、ＩＰ通信装置１２０と、を備える。
【００１５】
内線制御装置１１１は、ＰＢＸ１１０の配下にある端末Ａ１３０Ａ、端末Ｂ１３０Ｂ及び端末Ｃ１３０Ｃとの間で情報の送受信を行う装置である。
【００１６】
スイッチ１１２は、時分割スイッチであって、時分割多重化された信号の時間的位置を入れ替えることで交換操作を行う。
【００１７】
中央処理部１１３は、ＰＢＸ１１０全体の処理を制御する。
【００１８】
例えば、中央処理部１１３は、内線制御装置１１１に必要な指示を出すことで、端末Ａ１３０Ａ、端末Ｂ１３０Ｂ及び端末Ｃ１３０Ｃ間での音声通信を可能にする。
【００１９】
また、中央処理部１１３は、スイッチ１１２を制御することで、ＰＢＸ１１０の配下にある端末Ａ１３０Ａ、端末Ｂ１３０Ｂ又は端末Ｃ１３０Ｃと、ネットワーク１５０に接続された端末Ｄ１３０Ｄ、端末Ｅ１３０Ｅ又は端末Ｆ１３０Ｆと、の間の音声通信を可能にする。
【００２０】
さらに、中央処理部１１３は、ＰＢＸ１１０の配下にある端末Ａ１３０Ａ、端末Ｂ１３０Ｂ又は端末Ｃ１３０Ｃから、ネットワーク１５０に接続された端末Ｄ１３０Ｄ、端末Ｅ１３０Ｅ又は端末Ｆ１３０Ｆに接続する際に、または、ネットワーク１５０に接続された端末Ｄ１３０Ｄ、端末Ｅ１３０Ｅ又は端末Ｆ１３０Ｆから、ＰＢＸ１１０の配下にある端末Ａ１３０Ａ、端末Ｂ１３０Ｂ又は端末Ｃ１３０Ｃに接続する際に、ＳＩＰによる呼制御を行う。
【００２１】
また、中央処理部１１３は、ネットワーク１５０に接続された端末Ｄ１３０Ｄ、端末Ｅ１３０Ｅ又は端末Ｆ１３０ＦからＩＮＶＩＴＥメッセージ又は１８０ＯＫメッセージを受信した際には、これらのメッセージからネットワーク１５０に接続された端末Ｄ１３０Ｄ、端末Ｅ１３０Ｅ又は端末Ｆ１３０Ｆの電話番号、ＩＰアドレス及びコーデック種別を取得して、メモリ部１１４に記憶するとともに、これらの情報をＩＰ通信装置１２０に出力する処理を行う。
【００２２】
そして、中央処理部１１３は、ＩＰ通信装置１２０を制御することで、ＰＣＭデータ及びＩＰパケット間の変換を行う処理、および、ＩＰパケット毎にコーデック種別の変換を行う処理を制御する。
【００２３】
メモリ部１１４には、前述のように中央処理部１１３が取得したネットワーク１５０に接続された端末Ｄ１３０Ｄ、端末Ｅ１３０Ｅ又は端末Ｆ１３０Ｆの電話番号、ＩＰアドレス及びコーデック種別を特定する情報が記憶される。
【００２４】
また、メモリ部１１４には、中央処理部１１３がＳＩＰ処理を行うための情報、例えば、ネットワーク１５０に接続された端末Ｄ１３０Ｄ、端末Ｅ１３０Ｅ及び端末Ｆ１３０Ｆの電話番号及びこれらの端末の呼制御を行うＳＩＰサーバのＩＰアドレス等が記憶される。
【００２５】
ＩＰ通信装置１２０は、ネットワーク１５０を介した情報の送受信処理と、ネットワーク１５０を介して送受信するパケットのコーデック種別を変換する処理と、を行う。
【００２６】
図２は、ＩＰ通信装置１２０の概略図である。
【００２７】
ＩＰ通信装置１２０は、パケット処理部１２１と、制御情報記憶領域１２３と、通信制御部１２３と、変換部１２４と、ＩＦ部１２５と、を備える。
【００２８】
パケット処理部１２１は、スイッチ１１２から得られるＰＣＭデータをＩＰパケット化し、また、通信制御部１２３から得られるＩＰパケットをＰＣＭデータに変換する処理を行う。なお、パケット処理部１２１が生成するＩＰパケットに必要な情報については、中央制御部１１３から取得する。
【００２９】
制御情報記憶領域１２２には、変換部１２４でコーデック種別の変換を行う際に必要となる制御情報（ネットワーク側の端末の電話番号、ＩＰアドレス、変換するコーデック種別と変換後のコーデック種別を特定する情報等）が記憶される。
【００３０】
例えば、本実施形態においては、図３（制御テーブル１２２ａの概略図）に示すような制御テーブル１２２ａが制御情報記憶領域１２２に記憶される。
【００３１】
図示するように制御テーブル１２２ａは、対向端末欄１２２ｂと、ＩＰアドレス欄１２２ｃと、コーデック種別欄１２２ｄと、通信方向欄１２２ｅと、Ａ８論理欄１２２ｆと、Ａ９論理欄１２２ｇと、を備える。
【００３２】
対向端末欄１２２ｂには、ＰＢＸ１１０の配下にある端末と音声通信を行うネットワーク１５０側の端末の電話番号を特定する情報が格納される。
【００３３】
ＩＰアドレス欄１２２ｃには、ＰＢＸ１１０の配下にある端末と音声通信を行うネットワーク１５０側の端末のＩＰアドレスを特定する情報が格納される。
【００３４】
コーデック種別欄１２２ｄには、対向端末欄１２２ｂ及びＩＰアドレス欄１２２ｃで特定される端末が、ＰＢＸ１１０の配下の端末と音声通信を行う際に、後述する通信方向欄１２２ｅで特定される方向に流れるデータのコーデック種別を変換する変換先と変換元のコーデック種別を特定する情報が格納される。
【００３５】
ここでは、コーデック種別欄１２２ｄに「変換元のコーデック種別→変換先のコーデック種別」と入力することで、変換先と変換元のコーデック種別を特定しているがこのような態様に限定されるわけではない。
【００３６】
通信方向欄１２２ｃには、データの流れる方向を特定する情報が格納される。
【００３７】
ここでは、データの流れる方向を「データの送信元の端末（電話番号）→データの送信先の端末（電話番号）」で特定しているが、このような態様に限定されるわけではない。
【００３８】
Ａ８論理欄１２２ｆには、後述する変換部１２４のＡ８ピンに入力する信号を特定する情報が格納される。
【００３９】
ここで、変換部１２４のＡ８ピンには、通信方向（データの流れる方向）を特定する信号が入力されるようになっており、通信方向が、「ＰＢＸ１１０の配下の端末からネットワーク１５０側の端末」の場合には「１」が入力され、「ネットワーク１５０側の端末からＰＢＸ１１０の配下の端末」の場合には「０」が入力される。
【００４０】
Ａ９論理欄１２２ｇには、後述する変換部１２４のＡ９ピンに入力する信号を特定する情報が格納される。
【００４１】
ここで、変換部１２４のＡ９ピンには、ネットワーク１５０側の端末のコーデック種別を特定する信号が入力されるようになっており、ネットワーク１５０側の端末のコーデック種別が、「Ａ−ＬＡＷ」の場合には「０」が、「μ−ＬＡＷ」の場合には「１」が入力される。
【００４２】
通信制御部１２３は、ＩＰ通信装置１２０の全体の制御を行う。
【００４３】
例えば、通信制御部１２３は、中央処理部１１３からネットワーク１５０に接続された端末の電話番号、ＩＰアドレス及びコーデック種別を特定する情報の入力を受け付けると、制御情報記憶領域１２２に記憶されている制御テーブル１２２ａに新たなレコードを追加して、これらの情報を対応する欄に格納するとともに、Ａ８論理欄１２２ｆ及びＡ９論理欄１２２ｇにこれらの情報から特定される「０」か「１」の情報を格納する。
【００４４】
例えば、制御テーブル１２２ａの対向端末欄１２２ｂには、取得したネットワーク１５０側の端末の電話番号を格納し、ＩＰアドレス欄１２２ｃには、取得したネットワーク１５０側の端末のＩＰアドレスを格納し、コーデック種別欄１２２ｄには、後述する通信方向欄１２２ｃに格納される通信方向に応じて、ＰＢＸ１１０の配下の端末のコーデック種別とネットワーク１５０側のコーデック種別との変換を特定する情報を格納し、通信方向欄１２２ｃには、ネットワーク１５０側の端末とＰＢＸ１１０の配下の端末との通信方向を特定する情報を格納し、Ａ８論理欄１２２ｆには、ネットワーク１５０側の端末が発信側か着信側かを特定する情報から特定される通信方向に対応する値を格納し、Ａ９論理欄１２２ｇには、ネットワーク１５０側の端末のコーデック種別により特定される値を格納する。
【００４５】
また、通信制御部１２３は、ネットワーク１５０側及びスイッチ１１２側から取得される音声通信のＩＰパケットを一時的に記憶して、当該パケットの通信方向及び宛先（コーデック種別）により定まる変換部１２４のＡ８ピン及びＡ９ピンの設定を特定して、特定した設定をＡ８ピン及びＡ９ピンに格納するとともに、Ａ０〜Ａ７ピンにＩＰパケットに含まれる音声データ（ＲＴＰパケットのペイロード部分）を入力してコーデック種別の変換を行う。
【００４６】
変換部１２４は、入力されたデータのコーデック種別の変換を行う。
【００４７】
例えば、図４（変換部１２４の概略図）に示すように、変換部１２４は、Ａ０ピン〜Ａ９ピンと、Ｄ０ピン〜Ｄ７ピンと、が備えられている。
【００４８】
そして、Ａ８ピン及びＡ９ピンに入力される「０」又は「１」を示す信号の組み合わせにより定まる変換テーブルを用いて、Ａ０ピン〜Ａ７ピンに入力された信号を変換して、Ｄ０ピン〜Ｄ７ピンから出力するようにしている。
【００４９】
本実施形態においては、変換部１２４は、Ａ８ピン及びＡ９ピンに入力される信号の組み合わせにより、以下のような変換テーブルを用いて、コーデック種別の変換を行う。
【００５０】
Ａ８ピンに「０」及びＡ９ピンに「０」が入力された場合には、変換部１２４は、「Ａ−ＬＡＷ」から「μ−ＬＡＷ」に変換する変換テーブルを用いる。
【００５１】
Ａ８ピンに「０」及びＡ９ピンに「１」が入力された場合には、変換部１２４は、「μ−ＬＡＷ」から「μ−ＬＡＷ」に変換する変換テーブルを用いる（Ａ０ピン〜Ａ７ピンに入力された信号をそのままＤ０ピン〜Ｄ７ピンから出力する）。
【００５２】
Ａ８ピンに「１」及びＡ９ピンに「０」が入力された場合には、変換部１２４は、「μ−ＬＡＷ」から「Ａ−ＬＡＷ」に変換する変換テーブルを用いる。
【００５３】
Ａ８ピンに「１」及びＡ９ピンに「１」が入力された場合には、変換部１２４は、「μ−ＬＡＷ」から「μ−ＬＡＷ」に変換する変換テーブルを用いる（Ａ０ピン〜Ａ７ピンに入力された信号をそのままＤ０ピン〜Ｄ７ピンから出力する）。
【００５４】
ＩＦ部１２５は、ネットワーク１５０との間で情報を送受信するためのインターフェースである。
【００５５】
図５は、ＰＢＸ１１０がネットワーク１５０側の端末からＩＮＶＩＴＥメッセージを受信する際のシーケンス図である。本シーケンスでは、ネットワーク１５０に接続された端末Ｅ１３０Ｅから端末Ｃ１３０ＣにＩＮＶＩＴＥメッセージを送信する場合を例に説明する。
【００５６】
ＰＢＸ１１０は、端末Ｅ１３０ＥからＩＮＶＩＴＥメッセージを受信すると（Ｓ１０）、中央処理部１１３が、受信したＩＮＶＩＴＥメッセージから送信元（端末Ｅ１３０Ｅ）の電話番号、ＩＰアドレス及びコーデック種別を取得し、メモリ部１１４に記憶する（Ｓ１１）。
【００５７】
そして、ＰＢＸ１１０の中央処理部１１３は、受信したＩＮＶＩＴＥメッセージから取得した送信元（端末Ｅ１３０Ｅ）の電話番号、ＩＰアドレス及びコーデック種別を、ＩＰ通信装置１２０に転送する（Ｓ１２）。
【００５８】
このような情報を取得したＩＰ通信装置１２０では通信制御部１２３が、取得した情報を制御テーブル１２２ａの対応する欄に格納するとともに、Ａ８論理欄１２２ｆ及びＡ９論理欄１２２ｇに取得した情報から特定される論理（「０」又は「１」）を格納する（Ｓ１３）。
【００５９】
また、ＰＢＸ１１０の中央処理部１１３は、ステップＳ１０で受信したＩＮＶＩＴＥメッセージに対する応答メッセージである１００ＴＲＹＩＮＧメッセージを端末Ｅ１３０Ｅに送信するとともに（Ｓ１４）、１８０ＲＩＮＧＩＮＧメッセージを端末Ｅ１３０Ｅに送信する（Ｓ１５）。
【００６０】
そして、ＰＢＸ１１０の中央処理部１１３は、内線制御部１１１に対して、ＩＮＶＩＴＥメッセージの送信先である端末Ｃ１３０Ｃに呼出信号を送出するよう指示を出し（Ｓ１６）、内線制御装置１１１は、端末Ｃ１３０Ｃに呼出信号を送出する（Ｓ１７）。
【００６１】
そして、呼出信号を受けた端末Ｃ１３０Ｃにおいて、呼出に応ずる指示の入力を受け付けると（ＯＦＦ−ＨＯＯＫされると）（Ｓ１８）、ＯＦＦ−ＨＯＯＫ信号がＰＢＸ１１０に送出される（Ｓ１９）。
【００６２】
ＯＦＦ−ＨＯＯＫ信号を受信したＰＢＸ１１０では、中央処理部１１３が、ステップＳ１０で受信したＩＮＶＩＴＥメッセージに応ずる２００ＯＫメッセージを生成して、端末Ｅ１３０Ｅに送信する（Ｓ２０）。
【００６３】
このような処理により、端末Ｃ１３０Ｃと端末Ｅ１３０Ｅとの間で通話パスが確立され、端末Ｃ１３０Ｃと端末Ｅ１３０Ｅとの間で送受信する音声信号については、ステップＳ１３で格納された情報に応じて、ＩＰ通信装置１２０で変換される（Ｓ２１）。
【００６４】
図６は、ＰＢＸ１１０が配下の端末からネットワーク１５０側の端末への発呼信号を受信する際のシーケンス図である。本シーケンスでは、端末Ｃ１３０Ｃからネットワーク１５０に接続された端末Ｅ１３０Ｅへ発呼する場合を例に説明する。
【００６５】
ＰＢＸ１１０は、端末Ｃ１３０Ｃから発呼信号を受信すると（Ｓ３０）、中央処理部１１３が、受信した発呼信号に含まれる電話番号に対応する端末Ｅ１３０Ｅ（端末Ｅ１３０Ｅの呼制御を行う呼制御サーバ（図示せず））にＩＮＶＩＴＥメッセージを送信する（Ｓ３１）。
【００６６】
これに対して、端末Ｅ１３０Ｅは、で受信したＩＮＶＩＴＥメッセージに対する応答メッセージである１００ＴＲＹＩＮＧメッセージをＰＢＸ１１０に送信するとともに（Ｓ３２）、１８０ＲＩＮＧＩＮＧメッセージをＰＢＸ１１０に送信する（Ｓ３３）。
【００６７】
そして、ＰＢＸ１１０では、中央処理部１１３が、受信した１８０ＲＩＮＧＩＮＧメッセージから送信元（端末Ｅ１３０Ｅ）の電話番号、ＩＰアドレス及びコーデック種別を取得し、メモリ部１１４に記憶する（Ｓ３４）。
【００６８】
そして、ＰＢＸ１１０の中央処理部１１３は、受信した１８０ＲＩＮＧＩＮＧメッセージから取得した送信元（端末Ｅ１３０Ｅ）の電話番号、ＩＰアドレス及びコーデック種別を、ＩＰ通信装置１２０に転送する（Ｓ３５）。
【００６９】
このような情報を取得したＩＰ通信装置１２０では通信制御部１２３が、取得した情報を制御テーブル１２２ａの対応する欄に格納するとともに、Ａ８論理欄１２２ｆ及びＡ９論理欄１２２ｇに取得した情報から特定される論理（「０」又は「１」）を格納する（Ｓ３６）。
【００７０】
そして、端末Ｅ１３０Ｅにおいて、呼出に応ずる指示の入力を受け付けると（ＯＦＦ−ＨＯＯＫされると）（Ｓ３７）、２００ＯＫメッセージがＰＢＸ１１０に送信される（Ｓ３８）。
【００７１】
このような２００ＯＫメッセージを受信したＰＢＸ１１０では、中央処理部１１３が、内線制御部１１１に対して、端末Ｅ１３０Ｅからの着呼応答を指示し（Ｓ３９）、内線制御装置１１１は、端末Ｃ１３０Ｃに応答信号を送出する（Ｓ４０）。
【００７２】
このような処理により、端末Ｃ１３０Ｃと端末Ｅ１３０Ｅとの間で通話パスが確立され、端末Ｃ１３０Ｃと端末Ｅ１３０Ｅとの間で送受信する音声信号については、ステップＳ３６で格納された情報に応じて、ＩＰ通信装置１２０で変換される（Ｓ４１）。
【００７３】
図７は、ＰＢＸ１１０においてＩＮＶＩＴＥメッセージ又は１８０ＲＩＮＧＩＮＧメッセージを受信した際の中央処理部１１３での処理を示すフローチャートである。
【００７４】
まず、ＰＢＸ１１０の中央処理部１１３は、ネットワーク１５０側の端末より、ＩＮＶＩＴＥメッセージ又は１８０ＲＩＮＧＩＮＧメッセージを受信した場合には（Ｓ５０）、受信したＩＮＶＩＴＥメッセージ又は１８０ＲＩＮＧＩＮＧメッセージから、ネットワーク１５０側の端末の電話番号と、ＩＰアドレスと、コーデック種別と、を取得し、メモリ部１１４に記憶する（Ｓ５１）。
【００７５】
次に、中央処理部１１３は、取得した電話番号、ＩＰアドレス及びコーデック種別を、ＩＰ通信装置１２０に転送する（Ｓ５２）。
【００７６】
図８は、ＰＢＸ１１０のＩＰ通信装置１２０が中央処理部１１３から電話番号等の情報を取得した際の処理を示すフローチャートである。
【００７７】
まず、ＩＰ通信装置１２０は、中央処理部１１３より電話番号、ＩＰアドレス及びコーデック種別を受信すると（Ｓ６０）、通信制御部１２３が、変換部１２４のＡ８ピン及びＡ９ピンに入力する論理値を特定する（Ｓ６１）。
【００７８】
ここで、変換部１２４のＡ８ピンには、通信方向（データの流れる方向）を特定する信号が入力されるようになっており、通信方向が、「ＰＢＸ１１０の配下の端末からネットワーク１５０側の端末」の場合には「１」とし、「ネットワーク１５０側の端末からＰＢＸ１１０の配下の端末」の場合には「０」とする。
【００７９】
また、変換部１２４のＡ９ピンには、ネットワーク１５０側の端末のコーデック種別を特定する信号が入力されるようになっており、ネットワーク１５０側の端末のコーデック種別が、「Ａ−ＬＡＷ」の場合には「０」とし、「μ−ＬＡＷ」の場合には「１」とする。
【００８０】
そして、通信制御部１２３は、ステップＳ６０で取得した情報と、ステップＳ６１で特定した論理値と、を制御情報記憶領域１２２に記憶されている制御テーブル１２２ａの対応する欄に格納する（Ｓ６２）。
【００８１】
図９は、ＩＰ通信装置１２０の通信制御部１２３がＩＰパケットを取得した際の処理を示すフローチャートである。
【００８２】
ＩＰ通信装置１２０の通信制御部１２３は、パケット処理部１２１又はＩＦ部１２５からＩＰパケットを取得すると（Ｓ７０）、取得したＩＰパケットにおいてネットワーク１５０側の端末のＩＰアドレスが送信元に格納されているか、送信先に格納されているかにより送信方向を特定する（Ｓ７１）。
【００８３】
そして、通信制御部１２３は、ステップＳ７１で特定した通信方向と、取得したＩＰパケットに格納されているネットワーク１５０側の端末のＩＰアドレス及び電話番号と、により、制御テーブル１２２ａの通信方向欄１２２ｅ、ＩＰアドレス欄１２２ｃ及び対向端末欄１２２ｂを検索することにより、これらに対応するレコードを特定して、特定したレコードのＡ８論理欄１２２ｆ及びＡ９論理欄１２２ｇに格納されている論理値を変換部１２４のＡ８ピン及びＡ９ピンに入力する（Ｓ７２）。
【００８４】
そして、通信制御部１２３は、ステップＳ７０で取得したＩＰパケットの音声データを変換部１２４のＡ０〜Ａ７の各々のピンに入力する（Ｓ７３）。
【００８５】
音声データの入力を受けた変換部１２４では、Ａ８ピン及びＡ９ピンに入力された信号に応じた変換テーブルを用いて入力されたデータを変換して、Ｄ０〜Ｄ７の各々のピンから出力する（Ｓ７４）。
【００８６】
そして、通信制御部１２３は、ステップＳ７０で受信したＩＰパケットに含まれる全ての音声データを変換していない場合には（Ｓ７５でＮｏ）、ステップＳ７３に戻り処理を繰り返し、全ての音声データを変換した場合には、変換結果をＩＰパケットに格納して、宛先に応じて、ＩＦ部１２５又はパケット処理部１２１に転送する（Ｓ７６）。
【００８７】
以上のような処理を行うことにより、ＩＰパケットに含まれる音声データを宛先に応じて容易にコーデック種別の変換を行うことができる。
【００８８】
図１０は、本発明の第二の実施形態である通信システム２００の概略図である。
【００８９】
第一の実施形態においては、ＰＢＸ１１０の配下にある端末のコーデック種別が１種類であったが、本実施形態においては、ＰＢＸ１１０の配下にある端末のコーデック種別が複数（ここでは、２種類）の場合について説明する。
【００９０】
図示するように、通信システム２００は、ＰＢＸ２１０と、ＰＢＸ２１０を介してネットワーク１５０に接続する端末Ａ２３０Ａ、端末Ｂ２３０Ｂ及び端末Ｃ２３０Ｃと、ネットワーク１５０に接続された端末Ｄ２３０Ｄ、端末Ｅ２３０Ｅ及び端末Ｆ２３０Ｆと、を備える。
【００９１】
端末Ａ２３０Ａ、端末Ｂ２３０Ｂ及び端末Ｃ２３０Ｃは、ＰＢＸ２１０を介して音声通信を行ういわゆる電話端末であって、汎用のものを用いればよいため、詳細な説明を省略するが、本実施形態においては、端末Ａ２３０Ａはコーデック種別としてＡ−ＬＡＷに対応し、端末Ｂ２３０Ｂ及び端末Ｃ２３０Ｃはコーデック種別としてμ−ＬＡＷに対応しているものとする。
【００９２】
また、端末Ｄ２３０Ｄ、端末Ｅ２３０Ｅ及び端末Ｆ２３０Ｆは、ネットワーク１５０を介して音声通信を行ういわゆるＩＰ電話端末であって、本実施形態においては、ＳＩＰにより呼を確立し、端末Ｄ２３０Ｄ及び端末Ｅ２３０Ｅはコーデック種別としてＡ−ＬＡＷに対応し、端末Ｆ２３０Ｆはコーデック種別としてμ−ＬＡＷに対応しているものとする。
【００９３】
ＰＢＸ２１０は、内線制御装置１１１と、スイッチ１１２と、中央処理部２１３と、メモリ部２１４と、ＩＰ通信装置２２０と、を備え、第一の実施形態と比較して、中央処理部２１３、メモリ部２１４及びＩＰ通信装置２２０が異なっているため、以下これらの異なっている点に関連する事項について説明する。
【００９４】
中央処理部２１３は、ＰＢＸ２１０全体の処理を制御する。
【００９５】
例えば、中央処理部２１３は、内線制御装置１１１に必要な指示を出すことで、端末Ａ２３０Ａ、端末Ｂ２３０Ｂ及び端末Ｃ２３０Ｃ間での音声通信を可能にする。
【００９６】
また、中央処理部２１３は、スイッチ１１２を制御することで、ＰＢＸ２１０の配下にある端末Ａ２３０Ａ、端末Ｂ２３０Ｂ又は端末Ｃ２３０Ｃと、ネットワーク１５０に接続された端末Ｄ２３０Ｄ、端末Ｅ２３０Ｅ又は端末Ｆ２３０Ｆと、の間の音声通信を可能にする。
【００９７】
さらに、中央処理部２１３は、ＰＢＸ２１０の配下にある端末Ａ２３０Ａ、端末Ｂ２３０Ｂ及び端末Ｃ２３０Ｃから、ネットワーク１５０に接続された端末Ｄ２３０Ｄ、端末Ｅ２３０Ｅ又は端末Ｆ２３０Ｆに接続する際に、または、ネットワーク１５０に接続された端末Ｄ２３０Ｄ、端末Ｅ２３０Ｅ又は端末Ｆ２３０Ｆから、ＰＢＸ２１０の配下にある端末Ａ２３０Ａ、端末Ｂ２３０Ｂ又は端末Ｃ２３０Ｃに接続する際に、ＳＩＰによる呼制御を行う。
【００９８】
また、中央処理部２１３は、ネットワーク１５０に接続された端末Ｄ２３０Ｄ、端末Ｅ２３０Ｅ又は端末Ｆ２３０ＦからＩＮＶＩＴＥメッセージ又は１８０ＯＫメッセージを受信した際には、これらのメッセージからネットワーク１５０に接続された端末Ｄ２３０Ｄ、端末Ｅ２３０Ｅ又は端末Ｆ２３０Ｆの電話番号、ＩＰアドレス及びコーデック種別を取得して、メモリ部２１４に記憶するとともに、これらの情報に、これらのＩＮＶＩＴＥメッセージ又は１８０ＯＫメッセージの送信先である端末Ａ２３０Ａ、端末Ｂ２３０Ｂ又は端末Ｃ２３０Ｃを特定する情報（例えば、電話番号）及びコーデック種別を添付して、ＩＰ通信装置２２０に出力する処理を行う。なお、これらのメッセージの送信先であるＰＢＸ２１０の配下の端末Ａ２３０Ａ、端末Ｂ２３０Ｂ及び端末Ｃ２３０Ｃのコーデック種別については、後述するようにメモリ部２１４に記憶されている。
【００９９】
そして、中央処理部２１３は、ＩＰ通信装置２２０を制御することで、ＰＣＭデータ及びＩＰパケット間の変換を行う処理、および、パケット毎にコーデック種別の変換を行う処理を制御する。
【０１００】
メモリ部２１４には、前述のように中央処理部２１３が取得した、ネットワーク１５０に接続された端末Ｄ２３０Ｄ、端末Ｅ２３０Ｅ又は端末Ｆ２３０Ｆの電話番号、ＩＰアドレス及びコーデック種別を特定する情報が記憶される。
【０１０１】
また、メモリ部２１４には、中央処理部２１３がＳＩＰ処理を行うための情報、例えば、ネットワーク１５０に接続された端末Ｄ２３０Ｄ、端末Ｅ２３０Ｅ及び端末Ｆ２３０Ｆの電話番号及びこれらの端末の呼制御を行うＳＩＰサーバのＩＰアドレス等が記憶される。
【０１０２】
さらに、メモリ部２１４には、ＰＢＸ２１０の配下の端末Ａ２３０Ａ、端末Ｂ２３０Ｂ及び端末Ｃ２３０Ｃのコーデック種別を特定する情報が格納される。
【０１０３】
例えば、本実施形態においては、図１１（コーデック種別テーブル２１４ａの概略図）に示すようなコーデック種別テーブル２１４ａが記憶される。
【０１０４】
図示するように、コーデック種別テーブル２１４ａは、内線端末欄２１４ｂと、コーデック種別欄２１４ｃと、を備える。
【０１０５】
内線端末欄２１４ｂには、ＰＢＸ２１０の配下の端末Ａ２３０Ａ、端末Ｂ２３０Ｂ又は端末Ｃ２３０Ｃを識別する情報（ここでは、電話番号）が格納される。
【０１０６】
コーデック種別欄２１４ｃには、内線端末欄２１４ｂで特定される端末のコーデック種別を特定する情報が格納される。
【０１０７】
なお、コーデック種別テーブル２１４ａについては、ＰＢＸ２１０のオペレータが予めメモリ部２１４に記憶しておく。
【０１０８】
ＩＰ通信装置２２０は、ネットワーク１５０を介した情報の送受信処理と、ネットワーク１５０を介して送受信するパケットのコーデック種別を変換する処理と、を行う。
【０１０９】
図１２は、ＩＰ通信装置２２０の概略図である。
【０１１０】
ＩＰ通信装置２２０は、パケット処理部１２１と、制御情報記憶領域２２３と、通信制御部２２３と、変換部２２４と、ＩＦ部１２５と、を備え、第一の実施形態と比較して、制御情報記憶領域２２３、通信制御部２２３及び変換部２２４が異なっているため、以下これらの異なっている点に関連する事項について説明する。
【０１１１】
制御情報記憶領域２２２には、変換部２２４でコーデック種別の変換を行う際に必要となる制御情報（ネットワーク側の端末の電話番号、ＩＰアドレス、変換するコーデック種別と変換後のコーデック種別を特定する情報等）が記憶される。
【０１１２】
例えば、本実施形態においては、図１３（制御テーブル２２２ａの概略図）に示すような制御テーブル２２２ａが制御情報記憶領域２２２に記憶される。
【０１１３】
図示するように制御テーブル２２２ａは、対向端末欄２２２ｂと、ＩＰアドレス欄２２２ｃと、コーデック種別欄２２２ｄと、通信方向欄２２２ｅと、Ａ８論理欄２２２ｆと、Ａ９論理欄２２２ｇと、Ａ１０論理欄２２２ｈと、を備え、第一の実施形態と比較して、Ａ１０論理欄２２２ｈが追加されているため、以下、Ａ１０論理欄２２２ｈについて説明する。
【０１１４】
Ａ１０論理欄２２２ｈには、後述する変換部２２４のＡ１０ピンに入力する信号を特定する情報が格納される。
【０１１５】
ここで、変換部２２４のＡ１０ピンには、ＰＢＸ２１０の配下にある端末のコーデック種別を特定する信号が入力されるようになっており、ＰＢＸ２１０の配下にある端末のコーデック種別が、「Ａ−ＬＡＷ」の場合には「０」が、「μ−ＬＡＷ」の場合には「１」が入力される。
【０１１６】
通信制御部２２３は、ＩＰ通信装置２２０の全体の制御を行う。
【０１１７】
例えば、通信制御部２２３は、中央処理部２１３からネットワーク１５０に接続された端末の電話番号、ＩＰアドレス、音声通信を行うＰＢＸ２１０配下の端末を特定する情報、および、音声通信を行うＰＢＸ２１０配下の端末のコーデック種別を特定する情報、の入力を受け付けると、制御情報記憶領域２２２に記憶されている制御テーブル２２２ａに新たなレコードを追加して、これらの情報を対応する欄に格納するとともに、Ａ８論理欄２２２ｆ、Ａ９論理欄２２２ｇ及びＡ１０論理欄２２２ｈに、これらの情報から特定される「０」か「１」の情報を格納する。
【０１１８】
また、通信制御部２２３は、ネットワーク１５０側及びスイッチ１１２側から取得される音声通信のＩＰパケットを一時的に記憶して、当該パケットの宛先及び通信方向により定まる変換部２２４のＡ８ピン、Ａ９ピン及びＡ１０ピンの設定を特定して、特定した設定をＡ８ピン、Ａ９ピン及びＡ１０に格納するとともに、Ａ０〜Ａ７ピンにＩＰパケットに含まれる音声データ（ＲＴＰパケットのペイロード部分）を入力してコーデック種別の変換を行う。
【０１１９】
変換部２２４は、入力されたデータのコーデック種別の変換を行う。
【０１２０】
ここで、本実施形態においては、第一の実施形態と異なり、変換部２２４は、Ａ０ピン〜Ａ１０ピンと、Ｄ０ピン〜Ｄ７ピンと、が備えられている。
【０１２１】
そして、Ａ８ピン、Ａ９ピン及びＡ１０ピンに入力される「０」又は「１」を示す信号の組み合わせにより定まる変換テーブルを用いて、Ａ０ピン〜Ａ７ピンに入力された信号を変換して、Ｄ０ピン〜Ｄ７ピンから出力するようにしている。
【０１２２】
本実施形態においては、変換部２２４は、Ａ８ピン、Ａ９ピン及びＡ１０ピンに入力される信号の組み合わせにより、以下のような変換テーブルを用いて、コーデック種別の変換を行う。
【０１２３】
Ａ８ピンに「０」、Ａ９ピンに「０」及びＡ１０ピンに「０」が入力された場合には、変換部１２４は、「Ａ−ＬＡＷ」から「Ａ−ＬＡＷ」に変換する変換テーブルを用いる（Ａ０ピン〜Ａ７ピンに入力された信号をそのままＤ０ピン〜Ｄ７ピンから出力する）。
【０１２４】
Ａ８ピンに「０」及びＡ９ピンに「０」及びＡ１０ピンに「１」が入力された場合には、変換部１２４は、「Ａ−ＬＡＷ」から「μ−ＬＡＷ」に変換する変換テーブルを用いる。
【０１２５】
Ａ８ピンに「０」及びＡ９ピンに「１」及びＡ１０ピンに「０」が入力された場合には、変換部１２４は、「μ−ＬＡＷ」から「Ａ−ＬＡＷ」に変換する変換テーブルを用いる。
【０１２６】
Ａ８ピンに「０」及びＡ９ピンに「１」及びＡ１０ピンに「１」が入力された場合には、変換部１２４は、「μ−ＬＡＷ」から「μ−ＬＡＷ」に変換する変換テーブルを用いる（Ａ０ピン〜Ａ７ピンに入力された信号をそのままＤ０ピン〜Ｄ７ピンから出力する）。
【０１２７】
Ａ８ピンに「１」、Ａ９ピンに「０」及びＡ１０ピンに「０」が入力された場合には、変換部１２４は、「Ａ−ＬＡＷ」から「Ａ−ＬＡＷ」に変換する変換テーブルを用いる（Ａ０ピン〜Ａ７ピンに入力された信号をそのままＤ０ピン〜Ｄ７ピンから出力する）。
【０１２８】
Ａ８ピンに「１」及びＡ９ピンに「０」及びＡ１０ピンに「１」が入力された場合には、変換部１２４は、「μ−ＬＡＷ」から「Ａ−ＬＡＷ」に変換する変換テーブルを用いる。
【０１２９】
Ａ８ピンに「１」及びＡ９ピンに「１」及びＡ１０ピンに「０」が入力された場合には、変換部１２４は、「Ａ−ＬＡＷ」から「μ−ＬＡＷ」に変換する変換テーブルを用いる。
【０１３０】
Ａ８ピンに「１」及びＡ９ピンに「１」及びＡ１０ピンに「１」が入力された場合には、変換部１２４は、「μ−ＬＡＷ」から「μ−ＬＡＷ」に変換する変換テーブルを用いる（Ａ０ピン〜Ａ７ピンに入力された信号をそのままＤ０ピン〜Ｄ７ピンから出力する）。
【０１３１】
図１４は、ＰＢＸ２１０においてＩＮＶＩＴＥメッセージ又は１８０ＲＩＮＧＩＮＧメッセージを受信した際の中央処理部２１３での処理を示すフローチャートである。
【０１３２】
まず、ＰＢＸ２１０の中央処理部２１３は、ネットワーク１５０側の端末より、ＩＮＶＩＴＥメッセージ又は１８０ＲＩＮＧＩＮＧメッセージを受信した場合には（Ｓ８０）、受信したＩＮＶＩＴＥメッセージ又は１８０ＲＩＮＧＩＮＧメッセージから、ネットワーク１５０側の端末の電話番号と、ＩＰアドレスと、コーデック種別と、を取得し、メモリ部１１４に記憶する（Ｓ８１）。
【０１３３】
次に、中央処理部２１３は、ステップＳ８０で受信したＩＮＶＩＴＥメッセージ又は１８０ＲＩＮＧＩＮＧメッセージの宛先である端末のコーデック種別を、メモリ部２１４に記憶されているコーデック種別テーブル２１４ａから取得して、ステップＳ８１で取得した電話番号、ＩＰアドレス及びコーデック種別に添付して、ＩＰ通信装置２２０に転送する（Ｓ８２）。
【０１３４】
図１５は、ＰＢＸ２１０のＩＰ通信装置２２０が中央処理部２１３から電話番号等の情報を取得した際の処理を示すフローチャートである。
【０１３５】
まず、ＩＰ通信装置２２０は、中央処理部１１３より、ネットワーク１５０側の端末の電話番号、ＩＰアドレス及びコーデック種別と、ＰＢＸ２１０の配下の端末のコーデック種別と、を受信すると（Ｓ９０）、通信制御部２２３が、変換部２２４のＡ８ピン、Ａ９ピン及びＡ１０ピンに入力する論理値を特定する（Ｓ９１）。
【０１３６】
ここで、変換部２２４のＡ８ピン及びＡ９ピンに入力する論理値については、第一の実施形態と同様に求めればよく、また、Ａ１０に入力する情報については、ステップＳ９０で取得したＰＢＸ２１０の配下の端末のコーデック種別が、「Ａ−ＬＡＷ」の場合には「０」とし、「μ−ＬＡＷ」の場合には「１」とする。
【０１３７】
そして、通信制御部２２３は、ステップＳ９０で取得した情報と、ステップＳ９１で特定した論理値と、を制御情報記憶領域２２２に記憶されている制御テーブル２２２ａの対応する欄に格納する（Ｓ９２）。
【０１３８】
図１６は、ＩＰ通信装置２２０の通信制御部２２３がＩＰパケットを取得した際の処理を示すフローチャートである。
【０１３９】
ＩＰ通信装置２２０の通信制御部２２３は、パケット処理部１２１又はＩＦ部１２５からＩＰパケットを取得すると（Ｓ１００）、取得したＩＰパケットにおいてネットワーク１５０側の端末のＩＰアドレスが送信元に格納されているか、送信先に格納されているかにより送信方向を特定する（Ｓ１０１）。
【０１４０】
そして、通信制御部２２３は、ステップＳ１０１で特定した通信方向と、取得したＩＰパケットに格納されているネットワーク１５０側の端末のＩＰアドレス及び電話番号と、により、制御テーブル２２２ａの通信方向欄２２２ｅ、ＩＰアドレス欄２２２ｃ及び対向端末欄２２２ｂを検索することにより、これらに対応するレコードを特定して、特定したレコードのＡ８論理欄２２２ｆ、Ａ９論理欄２２２ｇ及びＡ１０論理欄２２２ｈに格納されている論理値を変換部２２４のＡ８ピン、Ａ９ピン及びＡ１０に入力する（Ｓ１０２）。
【０１４１】
そして、通信制御部２２３は、ステップＳ１００で取得したＩＰパケットの音声データを変換部２２４のＡ０〜Ａ７の各々のピンに入力する（Ｓ１０３）。
【０１４２】
音声データの入力を受けた変換部２２４では、Ａ８ピン、Ａ９ピン及びＡ１０に入力された信号に応じた変換テーブルを用いて入力されたデータを変換して、Ｄ０〜Ｄ７の各々のピンから出力する（Ｓ１０４）。
【０１４３】
そして、通信制御部２２３は、ステップＳ１００で受信したＩＰパケットに含まれる全ての音声データを変換していない場合には（Ｓ１０５でＮｏ）、ステップＳ１０３に戻り処理を繰り返し、全ての音声データを変換した場合には、変換結果をＩＰパケットに格納して、宛先に応じて、ＩＦ部１２５又はパケット処理部１２１に転送する（Ｓ１０６）。
【０１４４】
以上のように、本実施形態を構成することにより、通信制御部２２３が、ＩＦ部１２５又はパケット処理部１２１から取得したＩＰパケットより、通信方向と、ネットワーク１５０側の端末のコーデック種別と、ＰＢＸ２１０の配下の端末のコーデック種別と、に対応した信号をＡ８ピン、Ａ９ピン及びＡ１０ピンのそれぞれに入力することで、当該ＩＰパケットに格納されている音声データのコーデック種別を変更することができるようになる。
【０１４５】
以上に記載した実施形態においては、Ａ−ＬＡＷとμ−ＬＡＷの二種類のコーデック種別を用いているが、このような態様に限定されるわけではなく、変換部に設けるピンの数を増やして、Ａ０〜Ａ７に入力されるデータを変換する変換テーブルを識別することのできる数を増やすことにより、より多くの種類のコーデック種別の変換を行うことができる。
【０１４６】
また、以上に記載した実施形態においては、パケット処理部１２１でＰＣＭデータとＩＰパケットとの間の変換を行うようにしているが、このような態様に限定されず、例えば、パケット処理部１２１では、ＰＣＭデータとＲＴＰパケットとの変換を行い、ＩＦ部１２５でＲＴＰパケットとＩＰパケットとの変換を行うようにしてもよい。このような場合には、パケットの宛先に関する情報については、中央処理部１１３、２１３又はＩＦ部１２５より、通信制御部１２３、２２３に入力するようにすればよい。
【０１４７】
さらに、以上に記載した実施形態においては、ＰＢＸにおいて音声データの変換を行うようにしているが、このような態様に限定されず、端末とネットワークとの間に設置される中継装置（例えば、ゲートウェイ）において、本発明と同様の方法で音声データの変換を行うようにしてもよい。
【図面の簡単な説明】
【０１４８】
【図１】第一の実施形態である通信システムの概略図。
【図２】ＩＰ通信装置の概略図。
【図３】制御テーブルの概略図。
【図４】変換部の概略図。
【図５】ＰＢＸがネットワーク側の端末からＩＮＶＩＴＥメッセージを受信する際のシーケンス図。
【図６】ＰＢＸが配下の端末からネットワーク側の端末への発呼信号を受信する際のシーケンス図。
【図７】ＰＢＸにおいてＩＮＶＩＴＥメッセージ又は１８０ＲＩＮＧＩＮＧメッセージを受信した際の中央処理部での処理を示すフローチャート。
【図８】ＩＰ通信装置の通信制御部がＩＰパケットを取得した際の処理を示すフローチャート。
【図９】ＩＰ通信装置の通信制御部がＩＰパケットを取得した際の処理を示すフローチャート。
【図１０】第二の実施形態である通信システムの概略図。
【図１１】コーデック種別テーブルの概略図。
【図１２】ＩＰ通信装置の概略図。
【図１３】制御テーブルの概略図。
【図１４】ＰＢＸにおいてＩＮＶＩＴＥメッセージ又は１８０ＲＩＮＧＩＮＧメッセージを受信した際の中央処理部での処理を示すフローチャート。
【図１５】ＩＰ通信装置の通信制御部がＩＰパケットを取得した際の処理を示すフローチャート。
【図１６】ＩＰ通信装置の通信制御部がＩＰパケットを取得した際の処理を示すフローチャート。
【符号の説明】
【０１４９】
１００、２００  通信システム
１１１  内線制御装置
１１２  スイッチ
１１３、２１３  中央処理部
１１４、２１４  メモリ部
１２０、２２０  ＩＰ通信装置
１２１  パケット処理部
１２２、２２２  制御情報記憶領域
１２３、２２３  通信制御部
１２４、２２４  変換部
１２５  ＩＦ部
【図１】
2009141712.tif 000003
【図２】
2009141712.tif 000004
【図３】
2009141712.tif 000005
【図４】
2009141712.tif 000006
【図５】
2009141712.tif 000007
【図６】
2009141712.tif 000008
【図７】
2009141712.tif 000009
【図８】
2009141712.tif 000010
【図９】
2009141712.tif 000011
【図１０】
2009141712.tif 000012
【図１１】
2009141712.tif 000013
【図１２】
2009141712.tif 000014
【図１３】
2009141712.tif 000015
【図１４】
2009141712.tif 000016
【図１５】
2009141712.tif 000017
【図１６】
2009141712.tif 000018